(57)【要約】【課題】  再生側の記録媒体に記録されたデータを、記録側の記録媒体へ記録する情報記録再生装置において、再生エラーや記録エラーが頻出するような環境であっても、記録側の記録媒体に記録されたデータの連続性を保証できるようにする。【解決手段】  再生装置２は、再生エラーが発生したときにそのエラー情報を記録装置１０に送信する手段と、再生エラーが発生したデータを再度再生する手段とを有する。記録装置１０は、再生装置２からエラー情報を受信したときに記録を中断してエラーが発生したデータを破棄する手段と、その後に再生装置から送信されたエラーなしデータを受信して記録を再開する手段とを有する。【選択図】        図１
2005332483.tif 000002
【特許請求の範囲】
【請求項１】
第１の記録媒体から読み出したデータを再生する再生装置と、前記再生装置によって第１の記録媒体から読み出したデータを第２の記録媒体に記録する記録装置とを備え、前記再生装置は、再生エラーが発生したときにそのエラー情報を前記記録装置に送信する手段と、再生エラーが発生したデータを再度再生する手段とを有し、前記記録装置は、再生装置からエラー情報を受信したときに記録を中断してエラーが発生したデータを破棄する手段と、その後に再生装置から送信されたエラーなしデータを受信して記録を再開する手段とを有することを特徴とする情報記録再生装置。
【請求項２】
第１の記録媒体から読み出したデータを再生する再生装置と、前記再生装置によって第１の記録媒体から読み出したデータを第２の記録媒体に記録する記録装置とを備え、前記記録装置は、記録エラーが発生したときに受信済データの情報とデータの送信停止要求とを前記再生装置に送信する手段と、発生した記録エラーを解消させる手段と、記録エラーが解消したときに記録を再開させるとともに再生装置にデータ送信再開を要求する手段とを有することを特徴とする情報記録再生装置。
【請求項３】
第１の記録媒体上のデータは複数のデータをまとめて再生フレーム単位で記録されており、前記再生フレームは各フレーム固有に前記第１の記録媒体上の位置を表すアドレス情報を有し、再生装置は、前記第１の記録媒体のデータを再生する際に発生したエラーを検出する再生エラー検出部と、前記第１の記録媒体から読み出したデータと前記アドレス情報と前記再生エラー検出部で検出したエラー情報とを同期させて出力する同期検出部とを有し、記録装置は、前記第１の記録媒体のデータを第２の記録媒体の記録形式に変換する信号処理部と、前記再生装置の同期検出部から出力されたデータとアドレス情報とエラー情報とを同期させて、それぞれを一まとめの記録フレーム単位として格納するバッファと、前記バッファに格納されたデータとアドレス情報とエラー情報との解析を行うデータ判定部と、前記第２の記録媒体にデータを記録する際に発生したエラーを検出する記録エラー検出部とを有することを特徴とする請求項１または２記載の情報記録再生装置。
【請求項４】
請求項３記載の情報記録再生装置において、
再生装置で再生エラーが発生したことを検出した時に、
前記再生装置は、再生エラーが発生した再生フレーム単位の先頭から第１の記録媒体の再生リトライ処理を行い、
記録装置は、記録動作を中断後、データ判定部でバッファ内のデータを解析し、前記バッファ内のエラーを含む記録フレーム単位を破棄し、前記再生装置での再生リトライ処理によって前記再生エラーが発生しなくなってから、前記バッファ内に新たにデータを格納し、記録動作を再開することを特徴とする情報記録再生装置の制御方法。
【請求項５】
請求項３記載の情報記録再生装置において、
記録装置で記録エラーが発生したことを検出した時に、
前記記録装置は、記録エラーの解消のための記録リトライ処理を行うとともに、再生装置へ、データの転送停止要求の送信と、バッファ内のデータを解析して得られる前記再生装置が第１の記録媒体の再生リトライを行うためのアドレス情報の送信とを行い、
前記再生装置は、前記データの転送停止要求と前記アドレス情報とを受信した後、前記記録装置へのデータの転送を一時中断するとともに、前記記録リトライ処理によって前記記録装置の記録エラーが解消されてから、前記アドレス情報に基づく位置から前記第１の記録媒体の再生リトライ処理を行って、前記記録装置へのデータの転送を再開し、
前記記録装置は、前記データの転送の再開を受けて、記録動作を再開することを特徴とする情報記録再生装置の制御方法。
【請求項６】
検出した再生エラーの内容を判定し、前記再生エラーの内容によっては、再生リトライ処理を行わずに、再生装置での再生動作と記録装置での記録動作とを継続することを特徴とする請求項４記載の情報記録再生装置の制御方法。
【請求項７】
記録媒体上のデータを再生してその再生データを記録装置へ転送する再生装置であって、前記記録媒体上のデータと前記データが記録されている前記記録媒体上の位置を示すアドレス情報とを取得する取得部と、前記データを再生する再生部と、前記再生部において発生するエラーを検出するエラー検出部と、再生した前記データと前記アドレス情報と前記エラー検出部におけるエラー検出結果とを前記記録装置へ出力する出力部と、前記エラー検出部にてエラーが検出された場合に、そのエラーが検出されたデータに付加されたアドレスを基に前記記録媒体から再度データを取得する手段とを備えることを特徴とする再生装置。
【請求項８】
再生装置にて再生される再生データを受信して記録媒体に記録する記録装置であって、前記再生データと前記再生データが前記再生装置にてエラー再生されている場合に前記再生装置から転送されるエラー情報とを入力する入力部と、前記再生データと前記エラー情報とを一時的に格納するバッファと、前記再生データが前記エラー情報を伴っている場合に前記再生データを破棄する手段とを備えることを特徴とする記録装置。
【請求項９】
記録媒体上のデータを再生してその再生データを記録装置へ転送する再生装置であって、前記記録媒体上のデータと前記データが記録されている前記記録媒体上の位置を示すアドレス情報とを取得する取得部と、前記データを再生する再生部と、前記再生部において再生した再生データと前記アドレス情報とを出力する出力部とを備え、前記記録装置にて記録エラーが発生した場合に前記記録装置より通知されるエラーが発生したデータのアドレス情報を受信して、前記記録エラーが発生したデータのアドレス情報に基づき前記記録媒体から再度データを取得する手段とを備えることを特徴とする再生装置。
【請求項１０】
再生装置にて再生される再生データを受信して記録媒体に記録する記録装置であって、前記再生データと前記再生データが記録されていた第１の記録媒体上の記録位置を示すアドレス情報とを入力する入力部と、前記再生データを第２の記録媒体の記録形式に変換する信号処理部と、前記信号処理部にて変換されたデータを記録する記録部と、前記記録部にて発生するエラーを検出するエラー検出部と、前記記録部にてエラーが発生した場合にエラーが発生したデータのアドレス情報を前記再生装置に通知する通知部とを備えることを特徴とする記録装置。
【発明の詳細な説明】
【技術分野】
【０００１】
本発明は、例えばオーディオ信号などの再生側の記録媒体に記録されたデータを、記録側の記録媒体へ記録する情報記録再生装置およびその制御方法に関するものである。
【背景技術】
【０００２】
近年、オーディオ信号の記録方式はデジタル記録方式が広く普及している。民生用の記録媒体としては、デジタルオーディオ信号の再生専用の光ディスクであるＣＤやＤＶＤ、記録再生用の光磁気ディスクであるＭＤ、記録再生用の半導体メモリであるＳＤなどが開発されている。ＭＤはＣＤと比較して直径が約１／２に小型化されているが、ＭＤに記録されるオーディオ信号はＡＴＲＡＣ形式で約１／５に圧縮されているため、オーディオ信号としてはＣＤと同程度の情報量を記録することが可能となっている。上記のような記録媒体を扱う情報記録再生装置において、再生装置で読み取ったディスクのオーディオデータを記録装置へ転送して、ディスクへ記録する、いわゆるダビング機能が求められている。
【０００３】
以下、再生装置側をＣＤ、記録装置側をＭＤとした場合の、従来の情報記録再生装置でのダビングの動作について説明する。
図７は従来の情報記録再生装置のブロック図である。図７において、１はシステム全体を制御するシステム制御マイコンである。２はＣＤ再生装置であり、内部は次のように構成されている。すなわち、３はＣＤシステム制御マイコン、４はＣＤディスク、５は光ピックアップ（ＣＤ側）、６はＣＤサーボ処理部、７はＲＦアンプ（ＣＤ側）、８はＣＤ信号処理部、９はショックプルーフメモリである。また、１０はＭＤ記録装置であり、内部は次のように構成されている。すなわち、１１はＭＤシステム制御マイコン、１２はＭＤディスク、１３は光ピックアップ（ＭＤ側）、１４はＭＤサーボ処理部、１５はＲＦアンプ（ＭＤ側）、１６はＡＴＲＡＣ処理部、１７はＭＤ信号処理部、１８はショックプルーフメモリ、１９は磁気ヘッドである。
【０００４】
以上のように構成された情報記録再生装置について、以下その動作を説明する。
システム制御マイコン１は、ＣＤ再生装置２のＣＤシステム制御マイコン３に対し通信を行って、再生動作開始を指令する。ＣＤシステム制御マイコン３は、その再生開始指令を受けて、ＣＤシステムの再生制御を開始する。
【０００５】
まずＣＤディスク４のデータが記録されているトラック上に光ピックアップ５を位置させるため、ＣＤサーボ処理部６にサーボ制御開始を指令する。光ピックアップ５は、ＣＤディスク４に対してレーザー光を照射し、その反射光を検出して電気信号へと変換する。光ピックアップ５で変換された電気信号はＲＦアンプ７へと入力され、波形の整形、増幅が行われる。ＲＦアンプ７の出力は、ＣＤサーボ処理部６およびＣＤ信号処理部８へと入力される。ＣＤサーボ処理部６は、ＲＦアンプ７から入力された信号によって、光ピックアップ５のＣＤディスク４のトラック上からのずれを検出し、このずれをフィードバックして、ＣＤディスク４上のトラックを光ピックアップ５が追従できるように位置制御を行う。光ピックアップ５がＣＤディスク４のトラックからデータを読み取れるように位置制御した後、ＣＤサーボ処理部６は、ＣＤシステム制御マイコン３へサーボ制御完了を知らせる。
【０００６】
その後、ＣＤシステム制御マイコン３は、ＣＤ信号処理部８へ信号処理の開始を指令する。ＣＤ信号処理部８は、ＲＦアンプ７から入力された信号から、再生データへの変換を行う。ＣＤディスク４に記録されている信号は、データ読み取りの信頼性向上のため、ＥＦＭ変調、およびＣＩＲＣによる誤り訂正がかけられている。ＣＤ信号処理部８では、ＥＦＭ復調、および誤り訂正処理が行われ、オーディオデータとして再生される。また、ＣＤディスク４に記録されている信号として、オーディオデータの他に、トラックＮｏや演奏時間等の情報がサブコード情報として付加されている。ＣＤ信号処理部８では、サブコードの解析を行う。システムによっては、耐震制御のため、ショックプルーフメモリ９が搭載されている場合もある。この場合は、ＣＤディスク４から読み取ったデータはショックプルーフメモリ９内に一時格納され、ＣＤディスク４からの読み取りは間欠的に行われる。ＣＤ信号処理部８からダビングデータが出力され、このデータはＭＤ記録装置１０へ入力される。
【０００７】
一方、システム制御マイコン１は、ＭＤ記録装置１０の内部のＭＤシステム制御マイコン１１に対し通信を行って、記録動作開始を指令する。ＭＤシステム制御マイコン１１は、この記録開始指令を受けて、ＭＤシステムの記録制御を開始する。
【０００８】
まず、ＭＤディスク１２上のデータを記録するトラック上に光ピックアップ１３を位置させるため、ＭＤサーボ処理部１４にサーボ制御開始を指令する。ＭＤディスク１２上の記録を行う位置は、ＭＤディスク１２の管理情報であるＵＴＯＣの内容を基に、ＭＤシステム制御マイコン１１からＭＤサーボ処理部１４へと知らされる。光ピックアップ１３は、ＣＤ再生装置３側の光ピックアップ５と同様に、ＭＤディスク１２に対してレーザー光を照射し、その反射光を検出して電気信号へと変換する。光ピックアップ１３で変換された電気信号はＲＦアンプ１５へと入力され、波形の整形、増幅が行われる。ＲＦアンプ１５の出力は、ＭＤサーボ処理部１４へと入力される。ＭＤサーボ処理部１４では、ＣＤサーボ処理部６と同様に、ＭＤディスク１２上のトラックを光ピックアップ１３が追従できるように位置制御を行う。光ピックアップ１３をＭＤディスク１２の記録を行うトラック位置に制御した後、ＭＤサーボ処理部１４は、ＭＤシステム制御マイコン１１へサーボ制御完了を知らせる。
【０００９】
一方、ＭＤディスク１２へ記録するオーディオデータは、前述したＣＤ再生装置１のＣＤ信号処理部８から、ＡＴＲＡＣ処理部１６へと入力される。ＡＴＲＡＣ処理部１６では、入力されたデータの同期を確立した後、ＡＴＲＡＣによるデータ圧縮が行われる。ＡＴＲＡＣによるデータ圧縮では、入力されたデータの複数サンプルをまとめて圧縮するため、ＡＴＲＡＣ処理部１６にはデータを格納するバッファがある。ＡＴＲＡＣ処理部１６で圧縮されたデータは、ＭＤ信号処理部１７から、ショックプルーフメモリ１８へと格納される。ショックプルーフメモリ１８のデータは、さらにＭＤ信号処理部１７でＥＦＭ変調とＡＣＩＲＣによる誤り訂正とが行われ、ＭＤディスク１２に記録されるデータとなる。
【００１０】
ＭＤシステム制御マイコン１１は、ＭＤサーボ処理部１４のサーボ制御によって光ピックアップ１３がＭＤディスク１２のデータ記録を行う位置にあることを確認してから、ＭＤ信号処理部１７へ記録開始の指令を行う。記録データは０または１のデジタルデータであり、データが０か１かで磁気ヘッド１９に流す電流の向きを決定する（例えば、データが０のときに正方向、データが１のときは負方向など）。磁気ヘッド１９では、流れる電流の方向によって磁界の向きが変化する。磁気ヘッド１９の作る磁界によって、ＭＤディスク１２への光磁界変調記録が行われる。
【００１１】
以上のようにして、ＣＤ再生装置２でＣＤディスク４から読み取ったオーディオデータを、ＭＤ記録装置１０でＭＤディスク１２に記録するが、再生側あるいは記録側でエラーが発生した場合、ＭＤディスク１２に記録されるデータの連続性が保証されない。例えば、再生側のエラーとしては、振動等によってサーボが外れたり、ＣＤディスク４の汚れや傷等によってディスクに記録された信号が読み出せなかったりすることが考えられる。また、記録側のエラーとしては、同様に振動等でサーボが外れたりすることが考えられる。
【００１２】
このような再生エラーあるいは記録エラーが発生した場合の対策として、エラーが発生している期間は再生装置、記録装置のショックプルーフメモリ９、１８を活用し、メモリ９、１８内のデータ残量によって、再生装置２から記録装置１０へのデータ転送を制御し、再生エラー、記録エラーによる影響を回避する方法が考案されている（例えば、特許文献１参照）。
【特許文献１】特開２００１−３５０７９号公報
【発明の開示】
【発明が解決しようとする課題】
【００１３】
しかしながら、上記のような再生エラー、記録エラーが頻出するような環境では、ショックプルーフメモリ９、１８を搭載していても、メモリ９、１８内に十分なデータを格納することができない場合があり、メモリを搭載していない場合と同様に、音途切れが発生する可能性がある。その場合は、記録したオーディオデータの連続性は保証されず、ユーザーは音途切れのある楽章については、再度記録処理を行わなくてはならない。
【００１４】
そこで本発明は、再生側の記録媒体に記録されたデータを、記録側の記録媒体へ記録する情報記録再生装置において、再生エラーや記録エラーが頻出するような環境であっても、記録側の記録媒体に記録されたデータの連続性を保証できるようにすることを目的とする。
【課題を解決するための手段】
【００１５】
上記課題を解決するために、本発明の情報記録再生装置は、第１の記録媒体から読み出したデータを再生する再生装置と、前記再生装置によって第１の記録媒体から読み出したデータを第２の記録媒体に記録する記録装置とを備え、前記再生装置は、再生エラーが発生したときにそのエラー情報を前記記録装置に送信する手段と、再生エラーが発生したデータを再度再生する手段とを有し、前記記録装置は、再生装置からエラー情報を受信したときに記録を中断してエラーが発生したデータを破棄する手段と、その後に再生装置から送信されたエラーなしデータを受信して記録を再開する手段とを有することを特徴とするものである。
【００１６】
本発明の他の情報記録再生装置は、第１の記録媒体から読み出したデータを再生する再生装置と、前記再生装置によって第１の記録媒体から読み出したデータを第２の記録媒体に記録する記録装置とを備え、前記記録装置は、記録エラーが発生したときに受信済データの情報とデータの送信停止要求とを前記再生装置に送信する手段と、発生した記録エラーを解消させる手段と、記録エラーが解消したときに記録を再開させるとともに再生装置にデータ送信再開を要求する手段とを有することを特徴とする。
【００１７】
この構成によって、再生装置で再生エラーが発生した場合、あるいは記録装置で記録エラーが発生した場合のいずれにおいても、エラーデータを破棄して、エラーが発生した箇所から再生記録リトライ処理を行うことにより、第２の記録媒体に記録されたデータの連続性は保証される。
【００１８】
本発明によれば、上記において、第１の記録媒体上のデータは複数のデータをまとめて再生フレーム単位で記録されており、前記再生フレームは各フレーム固有に前記第１の記録媒体上の位置を表すアドレス情報を有し、再生装置は、前記第１の記録媒体のデータを再生する際に発生したエラーを検出する再生エラー検出部と、前記第１の記録媒体から読み出したデータと前記アドレス情報と前記再生エラー検出部で検出したエラー情報とを同期させて出力する同期検出部とを有し、記録装置は、前記第１の記録媒体のデータを第２の記録媒体の記録形式に変換する信号処理部と、前記再生装置の同期検出部から出力されたデータとアドレス情報とエラー情報とを同期させて、それぞれを一まとめの記録フレーム単位として格納するバッファと、前記バッファに格納されたデータとアドレス情報とエラー情報との解析を行うデータ判定部と、前記第２の記録媒体にデータを記録する際に発生したエラーを検出する記録エラー検出部とを有することが好適である。
【００１９】
本発明の情報記録再生装置の制御方法は、上記の情報記録再生装置において、再生装置で再生エラーが発生したことを検出した時に、前記再生装置は再生エラーが発生した再生フレーム単位の先頭から第１の記録媒体の再生リトライ処理を行い、記録装置は、記録動作を中断後、データ判定部でバッファ内のデータを解析し、前記バッファ内のエラーを含む記録フレーム単位を破棄し、前記再生装置での再生リトライ処理によって前記再生エラーが発生しなくなってから、前記バッファ内に新たにデータを格納し、記録動作を再開することを特徴とする。
【００２０】
本発明の他の情報記録再生装置の制御方法は、上記の情報記録再生装置において、記録装置で記録エラーが発生したことを検出した時に、前記記録装置は、記録エラーの解消のための記録リトライ処理を行うとともに、再生装置へ、データの転送停止要求の送信と、バッファ内のデータを解析して得られる前記再生装置が第１の記録媒体の再生リトライを行うためのアドレス情報の送信とを行い、前記再生装置は、前記データの転送停止要求と前記アドレス情報とを受信した後、前記記録装置へのデータの転送を一時中断するとともに、前記記録リトライ処理によって前記記録装置の記録エラーが解消されてから、前記アドレス情報に基づく位置から前記第１の記録媒体の再生リトライ処理を行って、前記記録装置へのデータの転送を再開し、前記記録装置は、前記データの転送の再開を受けて、記録動作を再開することを特徴とする。
【００２１】
本発明の情報記録再生装置の制御方法によれば、上記において、検出した再生エラーの内容を判定し、前記再生エラーの内容によっては、再生リトライ処理を行わずに、再生装置での再生動作と記録装置での記録動作とを継続することが好適である。
【００２２】
本発明の、記録媒体上のデータを再生してその再生データを記録装置へ転送する再生装置は、前記記録媒体上のデータと前記データが記録されている前記記録媒体上の位置を示すアドレス情報とを取得する取得部と、前記データを再生する再生部と、前記再生部において発生するエラーを検出するエラー検出部と、再生した前記データと前記アドレス情報と前記エラー検出部におけるエラー検出結果とを前記記録装置へ出力する出力部と、前記エラー検出部にてエラーが検出された場合に、そのエラーが検出されたデータに付加されたアドレスを基に前記記録媒体から再度データを取得する手段とを備えることを特徴とする。
【００２３】
本発明の、再生装置にて再生される再生データを受信して記録媒体に記録する記録装置は、前記再生データと前記再生データが前記再生装置にてエラー再生されている場合に前記再生装置から転送されるエラー情報とを入力する入力部と、前記再生データと前記エラー情報とを一時的に格納するバッファと、前記再生データが前記エラー情報を伴っている場合に前記再生データを破棄する手段とを備えることを特徴とする。
【００２４】
本発明の、記録媒体上のデータを再生してその再生データを記録装置へ転送する他の再生装置は、前記記録媒体上のデータと前記データが記録されている前記記録媒体上の位置を示すアドレス情報とを取得する取得部と、前記データを再生する再生部と、前記再生部において再生した再生データと前記アドレス情報とを出力する出力部とを備え、前記記録装置にて記録エラーが発生した場合に前記記録装置より通知されるエラーが発生したデータのアドレス情報を受信して、前記記録エラーが発生したデータのアドレス情報に基づき前記記録媒体から再度データを取得する手段とを備えることを特徴とする。
【００２５】
本発明の、再生装置にて再生される再生データを受信して記録媒体に記録する他の記録装置は、前記再生データと前記再生データが記録されていた第１の記録媒体上の記録位置を示すアドレス情報とを入力する入力部と、前記再生データを第２の記録媒体の記録形式に変換する信号処理部と、前記信号処理部にて変換されたデータを記録する記録部と、前記記録部にて発生するエラーを検出するエラー検出部と、前記記録部にてエラーが発生した場合にエラーが発生したデータのアドレス情報を前記再生装置に通知する通知部とを備えることを特徴とする。
【発明の効果】
【００２６】
以上のように、本発明によれば、再生装置で読み出した第１の記録媒体のデータを、記録装置で第２記録媒体へ記録する際において、再生エラーあるいは記録エラーが発生したときに、再生装置側で第１の記録媒体のデータの再読み込みを行い、記録装置ではエラーのないデータのみを第２の記録媒体へ記録するため、再生音としては音途切れが発生はするが、記録装置側で第２の記録媒体に記録されたデータの連続性は保証され、ユーザーは記録のやり直しを回避することが可能となる。
【発明を実施するための最良の形態】
【００２７】
以下、本発明の実施の形態の情報記録再生装置について、図面を参照しながら説明する。下記の本発明の実施の形態の情報記録再生装置は、再生装置をＣＤ再生装置、記録装置をＭＤ記録装置とした場合の情報記録再生装置である。
【００２８】
図１は本発明の実施の形態の情報記録再生装置のブロック図である。図１において、ＣＤ再生装置２には、再生エラー検出部２０、同期検出部２１が設けられている。ＭＤ記憶装置には、データバッファ２２、データ判定部２３、記録エラー検出部２４が設けられている。
【００２９】
その他の構成は、図７に示した従来の装置と同じであり、１はシステム制御マイコンである。またＣＤ再生装置２において、３はＣＤシステム制御マイコン、４はＣＤディスク、５は光ピックアップ（ＣＤ側）、６はＣＤサーボ処理部、７はＲＦアンプ（ＣＤ側）、８はＣＤ信号処理部である。ＭＤ記録装置１０において、１１はＭＤシステム制御マイコン、１２はＭＤディスク、１３は光ピックアップ（ＭＤ側）、１４はＭＤサーボ処理部、１５はＲＦアンプ（ＭＤ側）、１６はＡＴＲＡＣ処理部、１７はＭＤ信号処理部、１８はショックプルーフメモリ、１９は磁気ヘッドである。
【００３０】
以上のように構成された情報記録再生装置について、以下その動作を説明する。
まず、エラーが発生していない状態での動作について説明する。システム制御マイコン１は、ＣＤ再生装置２の内部のＣＤシステム制御マイコン３に対し通信を行って、再生動作開始を指令する。ＣＤシステム制御マイコン３は、再生開始指令を受けて、ＣＤシステムの再生制御を開始する。従来例と同様に、ＣＤサーボ処理部６によって光ピックアップ５をＣＤディスク４のデータが記録されているトラック上に位置させた後、ＣＤディスク４からデータを読み出す。ＣＤディスク４から読み出されたデータは、ＲＦアンプ７で増幅、整形された後、ＣＤ信号処理部８へと入力される。ＣＤ信号処理部８は、入力された信号に対しＥＦＭ復調、誤り訂正処理を行い、これをオーディオデータへ変換する。オーディオデータは、同期検出部２１へと入力される。
【００３１】
また、ＣＤ信号処理部８では、ＣＤディスク４のサブコードの解析を行う。ＣＤディスク４に記録されている信号のフォーマットは、ＣＩＲＣによる誤り訂正を行うため、１フレーム＝５８８ビット単位で構成されている。各フレームの先頭には、フレーム毎の同期を検出するためのフレーム同期信号が付加されている。また、ランダムアクセス等の用途に用いられるサブコード情報も、前記フレーム同期信号に続いて付加されていて、サブコード情報は、１サブコードフレーム＝９８フレームで一つのブロックが形成されている。ＣＤ信号処理部８は、サブコード情報のうちＱコードを同期検出部２１へ出力する。図６はＱコードの構成を示した図である。Ｑコードは、楽章のトラックＮｏと、インデックスと、そのデータの楽章内での位置を表す分、秒、フレーム情報と、データのディスク先頭からの位置を表す絶対時間の分、秒、フレーム情報とで構成されている。このうち、絶対時間の分、秒と、サブコードフレームの情報とを同期検出部２１へ送信し、ＭＤ記録装置１０で利用する。
【００３２】
再生エラー検出部２０は、発生した再生エラーの情報を同期検出部２１へ送信するが、再生エラーが発生していない場合は、再生エラーなしの情報を送信する。
同期検出部２１へは、ＣＤ信号処理部８からオーディオデータ、サブコードが入力され、再生エラー検出部２０から再生エラー情報が入力される。同期検出部２１は、オーディオデータとサブコード情報と再生エラー情報とを同期させて、ＭＤ記録装置１０へ出力する。
【００３３】
これにより、ＭＤ記録装置１０は、転送されたオーディオデータのＣＤディスク４でのサブコード情報、およびＣＤディスク４からデータを読み取ったときのエラー情報を同期させて受信することができ、受け取ったデータのＣＤディスク４上のサブコード情報、およびそのデータの読み取り時のエラーを知ることが可能となる。
【００３４】
一方、システム制御マイコン１は、ＭＤ記録装置１０の内部のＭＤシステム制御マイコン１１に対し通信を行って、記録動作開始を指令する。ＭＤシステム制御マイコン１１は、記録開始指令を受けて、ＭＤシステムの記録制御を開始する。すなわち、従来例と同様に、ＭＤサーボ処理部１４は、ＭＤディスク１２上の記録を行うトラックに光ピックアップ１３が位置するように制御を行う。一方、ＭＤディスク１２へ記録するオーディオデータは、前述したように、ＣＤ再生装置１の同期検出部２１で、ＣＤディスク４のサブコード情報と、ＣＤディスク４からデータを読み出したときのエラー情報とを同期した状態で、ＭＤ記録装置１０のＡＴＲＡＣ処理部１６へ入力される。ＡＴＲＡＣ処理部１６では、入力されたデータの同期を確立した後、ＡＴＲＡＣによるデータ圧縮が行われる。ＡＴＲＡＣによるデータ圧縮では、入力されたデータの複数サンプルをまとめて圧縮を行うため、ＡＴＲＡＣ処理部１６にはデータを格納するバッファ２２がある。
【００３５】
図２はバッファ２２内のデータ格納の様子を示した図である。図２に示すように、オーディオデータは、サブコード情報とエラー情報とが対応する形で格納され、オーディオデータの各フレームのＣＤディスク４でのサブコード、およびオーディオデータがＣＤディスク４から読み出されたときに発生した再生エラーがわかるように格納されている。ＡＴＲＡＣ処理部１６では、バッファ２２内におけるエラー情報がないデータのみがＡＴＲＡＣにより圧縮され、圧縮されたデータは、ＭＤ信号処理部１７から、ショックプルーフメモリ１８へと格納される。エラー情報のあるデータについての処理は後述する。ショックプルーフメモリ１８のデータは、従来例と同様に、ＭＤ信号処理部１７でＥＦＭ変調とＡＣＩＲＣによる誤り訂正とが行われた後、磁気ヘッド１９を介して、ＭＤディスク１２に光磁界変調方式で記録される。
【００３６】
次に、ＣＤ再生装置２で再生エラーが発生した場合の動作について説明する。ＣＤディスク４からのデータの読み出し中に振動等でサーボが外れたり、あるいは、ディスク汚れや傷等があることによって、ＣＤディスク４のデータが正常に読み出せなくなる再生エラーが発生することがある。このとき、再生エラー検出部２０は、ＣＤサーボ処理部６、ＣＤ信号処理部８からの信号により、再生エラーが発生したことを検出する。再生エラーには、例えば、誤り訂正不能や、読み取れなかったデータの補間などがある。再生エラー情報は、再生エラー検出部２０から同期検出部２１へ送信され、同期検出部２１でＣＤディスク４から読み出したデータ、サブコードと同期して、ＭＤ記録装置１０へ送信される。
【００３７】
図３は、ＣＤ再生装置２で再生エラーが発生した場合における、ＣＤ再生装置２とＭＤ記録装置１０の動作を表したフローである。以下、図３を参照しながら、動作を説明する。まず、再生エラー検出部２０で、再生エラーが発生したかどうかを判定する（ステップＳ３０１）。再生エラーが発生していない場合は、特にエラーの処理をせず、ＭＤ記録装置１０へ再生エラーなしの情報を送信し、ＣＤ再生装置２では再生動作を継続するとともにＭＤ記録装置１０では記録動作を継続する。
【００３８】
再生エラーが発生した場合は、再生エラー検出部２０から同期検出部２１を介して、ＭＤ記録装置１０へエラー情報が送信される（ステップＳ３０２）。ＭＤ記録装置１０では、ＣＤ再生装置２から送信されたエラー情報が、ＡＴＲＡＣ処理部１６のバッファ２２へ、データやサブコードと同期した状態で格納される（図２参照）。バッファ２２内のデータは、データ判定部２３により、再生エラーの有無を判定される（ステップＳ３０３）。ＭＤシステム制御マイコン１１は、データ判定部２３との通信を行い、ＣＤ再生装置２で何らかの再生エラーが発生したことを検出する。再生エラー発生を検出すると、ＭＤシステム制御マイコン１１は、ＡＴＲＡＣ処理部１６とＭＤ信号処理部１７とに記録動作中断の指令を出し、一旦記録データの処理を停止させる（ステップＳ３０４）。
【００３９】
バッファ２２内に格納されたデータのうち、再生エラーが発生したデータについては、次のように破棄する（ステップＳ３０５）。図４は、バッファ２２内の再生エラーが発生したデータの扱い方の様子を示した図である。再生エラーが発生したフレームについては、塗りつぶし状態で表示している。例えば、図４（Ａ）のＬ分Ｍ秒ＮフレームのＫ番目のフレームで再生エラーが発生しているとする。このとき、Ｌ分Ｍ秒（Ｎ−１）フレームまでのデータには再生エラーがないので、バッファ２２内のデータは保持するが、Ｌ分Ｍ秒Ｎフレームについてはデータを全て破棄する（図４（Ｂ））。これは、ＣＤ再生装置２が１サブコードフレーム＝９８フレームを一つのブロックとしてデータを扱っているため、後述する再生のリトライ処理でサブコードフレームの先頭からＣＤディスク４のデータの読み出しを開始するためである。
【００４０】
一方、ＣＤシステム制御マイコン３は、再生エラー検出部２０と通信を行い、再生エラーが発生したことを検出する。さらに、ＣＤ信号処理部８からサブコードを入手し、再生エラーが発生したサブコードフレームを検出し、ＣＤディスク４のどの位置で再生エラーが発生したかの情報を得る。そしてＣＤシステム制御マイコン３は、サーボ処理部６に指令を出し、再生エラーが発生したサブコードフレームを持つデータの先頭にピックアップ５を移動させ、ＣＤディスク４から再度データの読み取りを開始する（ステップＳ３０６）。その後、再生エラー検出部２０は再生エラーの有無判定を行う（ステップＳ３０７）。再生エラーが有る場合は、前記と同様に、再度ピックアップ５を再生エラーが発生したフレームの先頭に移動させ、ＣＤディスク４からのデータの読み取りを行う（ステップＳ３０６）。再生エラーが発生していない場合は、同期検出部２１を介して、ＭＤ記録装置１０へ、再生エラーなしの情報を送信する（ステップＳ３０８）。
【００４１】
ＭＤ記録装置１０では、ＣＤ再生装置２の再生リトライ後に送られてきたデータ、サブコード、エラー情報を、バッファ２２内の前記破棄した箇所に上書きして格納する（図４（Ｃ））。さらに、データ判定部２３で、９８フレーム全てにエラーがないことが確認された後、データをＡＴＲＡＣ処理部１６に送り、記録動作を再開する（ステップＳ３０９）。
【００４２】
以上のように、ＣＤ再生装置２からＭＤ記録装置１０にデータ記録を行う際に再生エラーが発生した場合は、ＣＤ再生装置２側でエラーの発生したフレームから再生リトライ処理を行う一方、ＭＤ記録装置１０側で一旦記録を中断してエラーが発生したデータをフレーム単位で破棄し、エラーが解消されてから再度記録を行うため、記録されたデータの連続性を保証できる。
【００４３】
次に、ＭＤ記録装置１０で記録エラーが発生した場合の動作について説明する。ＭＤディスク１２へのデータの書き込み中に振動等でサーボが外れたりすることで、記録エラーが発生することがある。記録エラー検出部２４は、ＭＤサーボ処理部１４、ＭＤ信号処理部１７からの信号により、記録エラーが発生したことを検知し、ＭＤシステム制御マイコン１１へエラーが発生したことを知らせる。さらに、ＭＤシステム制御マイコン１１は、ＣＤ再生装置２のＣＤシステム制御マイコン３へも、記録エラーが発生したことを知らせる。
【００４４】
図５は、ＭＤ記録装置１０で記録エラーが発生した場合におけるＣＤ再生装置２とＭＤ記録装置１０の動作を表したフローである。以下、図５を参照しながら、動作を説明する。まず、ＭＤ記録装置１０の記録エラー検出部２４で、記録エラーの有無を判定する（ステップＳ５０１）。記録エラーが発生していない場合は、特にエラー処理はせず、ＣＤ再生装置２の再生動作、ＭＤ記録装置１０の記録動作を継続する。
【００４５】
記録エラーが発生した場合に、ＭＤシステム制御マイコン１１は、ＭＤ信号処理部１７を介して、ＭＤ記録装置１０のショックプルーフメモリ１８のデータ残量を確認する（ステップＳ５０２）。ＭＤ記録装置１０は間欠記録を行っていて、記録データをショックプルーフメモリ１８内に一旦格納する。データは、ＡＴＲＡＣ１６により１／５程度に圧縮されているので、ショックプルーフメモリ１８へ書き込む際のデータの転送レートは、ＣＤディスク４からデータを読み取る際の転送レートの１／５程度である。そのため、ショックプルーフメモリ１８内のデータがオーバーフローする前に記録エラーが解消されれば、継続して記録動作が可能である。従って、ショックプルーフメモリ１８内のデータ残量がＦＵＬＬでなければ、すなわちメモリ１８の記憶容量に余裕があれば、特にエラー処理はせず、記録動作を継続する。
【００４６】
ショックプルーフメモリ１８内のデータ残量がＦＵＬＬとなった場合は、すなわちメモリ１８の記憶容量に余裕がなくなった場合は、ＭＤシステム制御マイコン１１は、データ判定部２３を介して、ＡＴＲＡＣ処理部１６内のバッファ２２に格納されているデータのサブコード情報を取得する。これにより、ＣＤ再生装置２からどこまでデータを受信したかを判定する（ステップＳ５０３）。次に、ＭＤシステム制御マイコン１１は、ＣＤシステム制御マイコン３にデータの転送停止要求を送信するとともに、前記で取得した受信済みのデータのサブコード情報を送信し（ステップＳ５０４）、一旦記録動作を中断する（ステップＳ５０５）。
【００４７】
ＣＤシステム制御マイコン３は、ステップＳ５０６でデータ転送停止要求を受けた後、ＣＤ信号処理部８に指令を出して、データおよびサブコードの転送を停止させる（ステップＳ５０７）。
【００４８】
一方、ＭＤ記録装置１０では、例えばサーボリトライ等を行って記録エラーを解消させ、その記録エラーが解消したかどうかを判定する（ステップＳ５０８）。記録エラーが解消された時点で、ＭＤシステム制御マイコン１１は、ＭＤサーボ処理部１４、ＡＴＲＡＣ処理部１６、ＭＤ信号処理部１７へ指令を出して、記録動作を再開させる（ステップＳ５０９）。その後、ＭＤシステム制御マイコン１１は、ＭＤ信号処理部１７を介して、ＭＤ記録装置１０のショックプルーフメモリ１８のデータ残量を確認し（ステップＳ５１０）、オーバーフローしていなければ、ＣＤシステム制御マイコン３へ、データ転送再開要求を送信する（ステップＳ５１１）。
【００４９】
ＣＤシステム制御マイコン３は、ステップＳ５１２でデータ転送再開要求を受けた後、ＣＤサーボ処理部６、ＣＤ信号処理部８へ指令を出して、再生リトライ処理を開始する（ステップＳ５１３）。再生リトライ処理は、ＭＤシステム制御マイコン１１から受信したサブコード情報（ステップＳ５０４）を元に、ＭＤ記録装置１０でまだ受信が完了していないデータのフレームの先頭から、ＣＤディスク４のデータ読み取りを再開する。データの読み取り後、同期検出部２１を介して、データ、サブコードの送信を再開する（ステップＳ５１４）。ＭＤ記録装置１０は、そのデータ、サブコードを受信して、記録動作を継続する。
【００５０】
以上のように、ＣＤ再生装置２からＭＤ記録装置１０にデータ記録を行う際に記録エラーが発生した場合に、ＭＤ記録装置１０のショックプルーフメモリ１８内のデータ残量を確認し、データがオーバーフローを起こした場合はＣＤ再生装置２からのデータ転送を中断し、記録エラーが解消されてからＣＤ再生装置２からのデータ転送を再開する。このとき、ＭＤ記録装置１０のバッファ２２内でデータの連続性を保つようにＣＤ再生装置２側で再生リトライ処理を行うので、記録されたデータの連続性が保証できる。
【００５１】
次に、ＣＤ再生装置２で再生エラーが発生した場合の別の動作について説明する。再生エラー検出部２０で検出する再生エラーには、例えば振動等でサーボが外れたことによるエラーや、ＣＤディスク４の汚れや傷等により信号が正常に読み出せず、ＣＩＲＣによる誤り訂正も不可であるエラーなどの、データの再生が不可能となるエラーと、信号は正常に読み出せなかったがＣＩＲＣによる誤り訂正により訂正されたエラーや、前後のデータから欠落データを補間したエラーや、サブコード情報のエラーなどの、比較的軽微でデータの再生に支障のないエラーとがある。ここでは、再生エラー検出部２０で検出した内容により、データ再生不可能なエラーについては上記の場合と同じ再生リトライ処理を行うが、データ再生に支障がないエラーについては、再生エラーがないものとして、再生動作、記録動作を継続する。
【００５２】
このようにすれば、ＣＤ再生装置２で発生した再生エラーによる再生リトライ回数の頻度を少なくすることが可能であり、ＣＤ再生中のリトライ処理によるモニター音の音途切れを少なくすることができるとともに、リトライ回数の減少により、記録時間を短縮することが可能である。
【００５３】
以上の本発明の実施の形態においては、再生装置をＣＤ再生装置とするとともに、記録装置をＭＤ記録装置としたが、これらを例えばＤＶＤ、ＳＤとしても、同様の動作が可能である。
【００５４】
また、上記においては情報記録再生装置を例に説明したが、記録装置と再生装置はそれぞれ別であっても構わず、これらを組み合わせることで上述の動作を実現可能である。
【産業上の利用可能性】
【００５５】
本発明の情報記録再生装置およびその制御方法は、再生装置で読み出した第１の記録媒体のデータを、記録装置で第２記録媒体へ記録する際において、再生エラーあるいは記録エラーが発生したときに、再生装置側で第１の記録媒体のデータの再読み込みを行い、記録装置ではエラーのないデータのみを第２の記録媒体へ記録するため、再生音としては音途切れが発生はするが、記録装置側で第２の記録媒体に記録されたデータの連続性は保証され、ユーザーは記録のやり直しを回避することが可能となるものであり、例えばオーディオ信号などの再生側の記録媒体に記録されたデータを、記録側の記録媒体へ記録する情報記録再生装置およびその制御方法として好適である。
【図面の簡単な説明】
【００５６】
【図１】本発明の実施の形態の情報記録再生装置のブロック図
【図２】図１の情報記録再生装置における記録データバッファ格納の様子を示す図
【図３】図１の情報記録再生装置で再生エラーが発生したときの動作のフローチャート
【図４】図１の情報記録再生装置で再生エラーが発生したときの記録データバッファ内のデータ処理の様子を示す図
【図５】図１の情報記録再生装置で記録エラーが発生したときの動作のフローチャート
【図６】図１に示されるＣＤディスクのサブコードフォーマットを示す図
【図７】従来の情報記録再生装置のブロック図
【符号の説明】
【００５７】
２    ＣＤ再生装置
４    ＣＤディスク
１０    ＭＤ記録装置
１２    ＭＤディスク
２０    再生エラー検出部
２１    同期検出部
２２    バッファ
２３    データ判定部
２４    記録エラー検出部
【図１】
2005332483.tif 000003
【図２】
2005332483.tif 000004
【図３】
2005332483.tif 000005
【図４】
2005332483.tif 000006
【図５】
2005332483.tif 000007
【図６】
2005332483.tif 000008
【図７】
2005332483.tif 000009